(57)【要約】      （修正有）【課題】撮影装置の製造コストの上昇につながる角速度センサ、プリズム、高画素撮像素子を使用せず、撮像される映像の画質劣化を最小化できるハンドシェイク補正方法およびこれを適用した撮影装置を提供する。【解決手段】本発明の撮影装置は、有効画素領域および予備画素領域からなっている光学面に結像した被写体の光学像を撮影し映像信号を生成する撮像素子と、有効画素領域より大きい画素領域内に生成された映像信号が出力されるように撮像素子を駆動させる撮像素子駆動部と、映像信号がフィールド単位に格納されるメモリと、メモリに格納された映像信号を用いて、ハンドシェイク補正された領域を算出するハンドシェイク補正部とを含む。【選択図】図４
2006033850.tif 000002
【特許請求の範囲】
【請求項１】
有効画素領域および該有効画素領域の外部に所定のサイズで備えられた予備画素領域からなっている光学面に結像した被写体の光学像を撮影し映像信号を生成する撮像素子と、
前記有効画素領域より大きい画素領域内に生成された映像信号が出力されるように前記撮像素子を駆動させる撮像素子駆動部と、
前記撮像素子で出力された前記映像信号について所定の信号処理を行う信号処理部と、
信号処理された前記映像信号がフィールド単位に格納されるメモリと、
前記メモリに格納された前記映像信号を用いて、ハンドシェイク補正された領域を算出するハンドシェイク補正部とを含むことを特徴とする撮影装置。
【請求項２】
前記ハンドシェイク補正部で算出された前記ハンドシェイク補正された領域に当該する映像信号を前記メモリから読み取るメモリ制御部と、
前記メモリ制御部から読み取った前記映像信号が再生されるディスプレー部とを更に含むことを特徴とする請求項１に記載の撮影装置。
【請求項３】
前記撮像素子駆動部は、前記有効画素領域および前記予備画素領域に生成された映像信号が出力されるように前記撮像素子を駆動させることを特徴とする請求項１に記載の撮影装置。
【請求項４】
前記撮像素子は、ＣＣＤおよびＭＯＳ型撮像素子のいずれかであることを特徴とする請求項１に記載の撮影装置。
【請求項５】
前記撮像装置は、デジタルカメラ、デジタルカムコーダー、監視用カメラ、カメラ付きモバイル電話のうちいずれか１つに使用できることを特徴とする請求項４に記載の撮影装置。
【請求項６】
前記信号処理部は、相関二重サンプリング回路、自動利得制御回路、およびＡＤＣを含むことを特徴とする請求項１に記載の撮影装置。
【請求項７】
前記信号処理部は、デジタル信号処理の可能なデジタル信号処理部であることを特徴とする請求項６に記載の撮影装置。
【請求項８】
前記撮像素子駆動部は、前記有効画素領域および予備画素領域のすべてに生成された映像信号が出力されるように前記撮像素子を駆動させることを特徴とする請求項３に記載の撮影装置。
【請求項９】
映像信号をディスプレーで再生可能な形態に変換するビデオエンコーダーが備えられたディスプレー部を更に含むことを特徴とする請求項２に記載の撮影装置。
【請求項１０】
前記ディスプレー部は、前記変換された映像信号が表示されるＬＣＤを含むことを特徴とする請求項９に記載の撮影装置。
【請求項１１】
有効画素領域および該有効画素領域の外部に所定のサイズで備えられた予備画素領域から成っている光学面に結像した被写体の光学像を撮影し映像信号を生成する撮像素子を備える撮影装置のハンドシェイク補正方法であって、
（ａ）前記有効画素領域よりも大きい画素領域内に生成された映像信号が出力されるように前記撮像素子を駆動させるステップと、
（ｂ）前記撮像素子で出力された前記映像信号について所定の信号処理を行うステップと、
（ｃ）信号処理された前記映像信号をフィールド単位に格納するステップと、
（ｄ）格納された前記映像信号を用いて、ハンドシェイク補正された領域を算出するステップとを含むことを特徴とするハンドシェイク補正方法。
【請求項１２】
算出された前記ハンドシェイク補正された領域に当該する映像信号を読み取るステップと、
読み取った前記映像信号が再生されるステップとを更に含むことを特徴とする請求項１１に記載のハンドシェイク補正方法。
【請求項１３】
前記（ａ）ステップは、前記有効画素領域および前記予備画素領域に生成された映像信号が出力されるよう前記撮像素子を駆動させることを特徴とする請求項１１に記載のハンドシェイク補正方法。
【請求項１４】
前記撮像素子は、ＣＣＤおよびＭＯＳ型撮像素子のいずれかであることを特徴とする請求項１１に記載のハンドシェイク補正方法。
【請求項１５】
前記撮像装置は、デジタルカメラ、デジタルカムコーダー、監視用カメラ、カメラ付きモバイル電話のうちいずれか１つであることを特徴とする請求項１１に記載のハンドシェイク補正方法。
【請求項１６】
被写体の光学像を光学面に結像させるステップと、
前記光学面に結像された前記被写体の光学像に対応される映像信号である第１映像信号を生成するステップと、
第１映像信号を格納するステップと、
前記格納された第１映像信号を用いてハンドシェイクを検出するステップと、
前記検出されたハンドシェイクに基づいてハンドシェイク補正された領域を算出するステップと、
前記算出されたハンドシェイク補正された領域に当該する映像信号である第２映像信号を読み取るステップと、
読み取った前記第２映像信号を再生するステップとを含むことを特徴とするハンドシェイク補正方法。
【請求項１７】
前記被写体の光学像はＣＣＤに備えられた光学面に結像させることを特徴とする請求項１６に記載のハンドシェイク補正方法。
【請求項１８】
前記被写体の光学像はＭＯＳ型撮像素子に備えられた光学面に結像させることを特徴とする請求項１６に記載のハンドシェイク補正方法。
【請求項１９】
前記第１映像信号は、前記光学面に備えられた前記有効画素領域および予備画素領域の全てに生成された映像信号であることを特徴とする請求項１６に記載のハンドシェイク補正方法。
【請求項２０】
生成された前記第１映像信号に対する所定の信号処理を行うステップを更に含むことを特徴とする請求項１６に記載のハンドシェイク補正方法。
【発明の詳細な説明】
【技術分野】
【０００１】
本発明は、ハンドシェイク補正方法およびこれを適用した撮影装置に関し、詳細には撮影者のハンドシェイクにより生じる画質の劣化を防止するためハンドシェイクを検出し、検出されたハンドシェイクを補正するハンドシェイク補正方法およびそれを適用した撮影装置に関する。
【背景技術】
【０００２】
撮影装置を直接手に持って撮影する場合には、撮影装置を支えている手の振るえによって撮影装置が振れてしまい、これは撮影映像の振れに直結される。従って、撮影装置には、自動に手の振れを検出し補正してくれて振れのない綺麗な映像が撮影できるよう行う機能が備えられている。それがハンドシェイク補正（オートスタビライゼーション：ＡＳ）機能である。ハンドシェイク補正は手の振れを検出する過程と、検出された手の振れを補正する過程で行われる。
【０００３】
今、用いられているハンドシェイク補正方法は、ＤＩＳ方法、ＥＩＳ方法、およびＯＩＳ方法に大別される。
【０００４】
ＤＩＳ（デジタルイメージスタビライゼーション）方法は、メモリに格納されている映像信号を用いてハンドシェイクを検出／補正する方法である。ＤＩＳ方法においては、撮像素子で生成されメモリに格納された映像信号を用いて動きベクトルを検出し、検出された動きベクトルを用いてメモリの読み取りタイミングを変更することによってハンドシェイクを補正する。この方法によると、簡単にハンドシェイク補正が具現できる。しかし、変更された読み取りタイミングによりメモリから読み取れる映像のサイズは有効画素領域のサイズより小さい。よって、読み取った映像をデジタルズームに拡大して再生／記録しなければならない。デジタルズームの結果、再生／記録される映像の画質が劣化されてしまう問題がある。
【０００５】
ＥＩＳ（エレクトリカルイメージスタビライゼーション）方法は、角速度センサと「高画素撮像素子」を用いてハンドシェイクの検出／補正を行う方法である。ＥＩＳ方法は、水平／垂直の角速度センサを用いてハンドシェイク量とハンドシェイク方向を検出する。また、検出されたハンドシェイク量とハンドシェイク方向を用いて「高画素撮像素子」の出力タイミングを変更することによってハンドシェイクを補正する。この方法によると、変更された出力タイミングにより高画素撮像素子で出力された映像信号により構成される映像は元映像と同じサイズを有する。この方法で使用される高画素撮像素子は、全画素数が有効画素数より極めて多いからである。従って、ＥＩＳ方法によると、再生／記録される映像の劣化が生じない。しかし、この方法を用いると、角速度センサが更に要され、かつ撮像素子も高画素でなければならないことから製造コストの上昇といった問題が残こる。
【０００６】
ＯＩＳ（オプティカルイメージスタビライゼーション）方法は、角速度センサとプリズムを用いてハンドシェイクを検出／補正する方法である。この方法によると、水平／垂直角速度センサを用いてハンドシェイク量とハンドシェイク方向を検出する方法についてはＥＩＳ方法と同一である。しかし、ＯＩＳ方法は撮像素子に入射される光路を変更させるプリズムを使用するところがＥＩＳ方法と異なる。この場合、再生／記録される映像の画質劣化が発生せず、高画素の撮像素子も要しない長所を有する。しかし、ＯＩＳ方法を用いるためには、角束センサとプリズムが要されるため撮影装置の体積が増大し、その製造コストも上昇する。のみならず、プリズムの制御においても困難さが伴なう。
【発明の開示】
【発明が解決しようとする課題】
【０００７】
本発明は前述した問題点を解決するために案出されたもので、本発明の目的は、撮影装置の製造コストを上昇させる角速度センサ、プリズム、高画素撮像素子を使用せず、撮像される映像の画質劣化を最小化することのできるハンドシェイク補正方法およびそれを適用した撮影装置を提供することにある。
【課題を解決するための手段】
【０００８】
前述の目的を達成するための本発明に係る撮影装置は、有効画素領域および該有効画素領域の外部に所定のサイズで備えられた予備画素領域からなっている光学面に結像した被写体の光学像を撮影し映像信号を生成する撮像素子と、前記有効画素領域より大きい画素領域内に生成された映像信号が出力されるように前記撮像素子を駆動させる撮像素子駆動部と、前記撮像素子で出力された前記映像信号について所定の信号処理を行う信号処理部と、信号処理された前記映像信号がフィールド単位に格納されるメモリと、前記メモリに格納された前記映像信号を用いて、ハンドシェイク補正された領域を算出するハンドシェイク補正部とを含む。
【０００９】
そして、本撮影装置は、前記ハンドシェイク補正部で算出された前記ハンドシェイク補正された領域に当該する映像信号を前記メモリから読み取るメモリ制御部と、前記メモリ制御部から読み取った前記映像信号が再生されるディスプレー部と、を更に含むことが好ましい。
【００１０】
さらに、前記撮像素子駆動部は、前記有効画素領域および前記予備画素領域に生成された映像信号が出力されるように前記撮像素子を駆動させることができる。
【００１１】
また、前記撮像素子は、ＣＣＤ（電荷結合素子）およびＭＯＳ（金属酸化物半導体）型撮像素子のいずれかであることが好ましい。また、前記撮像装置は、デジタルカメラ、デジタルカムコーダー、監視用カメラ、カメラ付きモバイル電話のうちいずれか１つに使用できる。
【００１２】
また、前記信号処理部は、相関二重サンプリング回路、自動利得制御回路、およびＡＤＣ（アナログ／デジタル変換器）を含むことができる。
【００１３】
そして、前記信号処理部は、デジタル信号処理の可能なデジタル信号処理部であることが好ましい。
【００１４】
また、前記撮像素子駆動部は、前記有効画素領域および予備画素領域のすべてに生成された映像信号が出力されるように前記撮像素子を駆動させることができる。
【００１５】
本発明の撮影装置は、映像信号をディスプレーで再生可能な形態に変換するビデオエンコーダーが備えられたディスプレー部を更に含むことが好ましい。
【００１６】
さらに、前記ディスプレー部は、前記変換された映像信号が表示されるＬＣＤ（液晶表示）を含むことができる。
【００１７】
一方、本発明に係る有効画素領域および該有効画素領域の外部に所定のサイズで備えられた予備画素領域から成っている光学面に結像した被写体の光学像を撮影し映像信号を生成する撮像素子を備える撮影装置のハンドシェイク補正方法は、（ａ）前記有効画素領域よりも大きい画素領域内に生成された映像信号が出力されるように前記撮像素子を駆動させるステップと、（ｂ）前記撮像素子で出力された前記映像信号について所定の信号処理を行うステップと、（ｃ）信号処理された前記映像信号をフィールド単位に格納するステップと、（ｄ）格納された前記映像信号を用いて、ハンドシェイク補正された領域を算出するステップとを含む。
【００１８】
そして、本ハンドシェイク補正方法は算出された前記ハンドシェイク補正された領域に当該する映像信号を読み取るステップと、読み取った前記映像信号が再生されるステップとを更に含むことが好ましい。
【００１９】
さらに、前記（ａ）ステップは、前記有効画素領域および前記予備画素領域に生成された映像信号が出力されるよう前記撮像素子を駆動させることができる。
【００２０】
そして、前記撮像素子は、ＣＣＤおよびＭＯＳ型撮像素子のいずれかである。
【００２１】
また、前記撮像装置は、デジタルカメラ、デジタルカムコーダー、監視用カメラ、カメラ付きモバイル電話のうちいずれか１つであるが好ましい。
【００２２】
一方、本発明に係るハンドシェイク補正方法は、被写体の光学像を光学面に結像させるステップと、前記光学面に結像された前記被写体の光学像に対応される映像信号である第１映像信号を生成するステップと、第１映像信号を格納するステップと、前記格納された第１映像信号を用いてハンドシェイクを検出するステップと、前記検出されたハンドシェイクに基づいてハンドシェイク補正された領域を算出するステップと、前記算出されたハンドシェイク補正された領域に当該する映像信号である第２映像信号を読み取るステップと、読み取った前記第２映像信号を再生するステップとを含む。
【００２３】
そして、前記被写体の光学像はＣＣＤに備えられた光学面に結像させることができる。
【００２４】
さらに、前記被写体の光学像はＭＯＳ型撮像素子に備えられた光学面に結像させることができる。
【００２５】
そして、前記第１映像信号は、前記光学面に備えられた前記有効画素領域および予備画素領域の全てに生成された映像信号である。
【００２６】
さらに、本発明のハンドシェイク補正方法は、生成された前記第１映像信号に対する所定の信号処理を行うステップを更に含むことが好ましい。
【発明の効果】
【００２７】
本発明によると、メモリから読み取りできる映像のサイズは撮像素子の全体画素領域（有効画素領域＋予備画素領域）のサイズと同一であるので、デジタルズーム処理を必要とせず、且つ再生／記録される映像の画質劣化を防ぐことができる。さらに、角速度センサ、プリズム、高画素撮像素子を使用しないことから撮影装置の製造コストを軽減できる。
【発明を実施するための最良の形態】
【００２８】
以下、添付の図面に基づいて本発明の好適な実施形態を詳述する。
【実施例】
【００２９】
図１は本発明の一実施の形態に係る、撮像素子の駆動制御とメモリ読み取り制御を介してハンドシェイクを補正する撮影装置のブロック図である。同図に示したように、本撮影装置は、レンズ部１１０、ＣＣＤ１２０、ＣＣＤ駆動部１２５、信号処理部１３０、ハンドシェイク補正部１４０、メモリ制御部１５０、メモリ１５５、およびディスプレー部１６０を備える。
【００３０】
レンズ部１１０は被写体の光学像をＣＣＤ１２０の光学面に結像させる。ＣＣＤ１２０は光学面に結像した被写体の光学像を撮像し、それに対応する映像信号を生成する撮像素子である。ＣＣＤ１２０以外にＭＯＳ型撮像素子からみた撮影装置を具現することもできる。
【００３１】
ＣＣＤ駆動部１２５は、ＣＣＤ１２０で生成された映像信号が信号処理部１３０に出力されるようにＣＣＤ１２０を駆動させる。詳細に、ＣＣＤ駆動部１２５はＣＣＤ駆動クロックをＣＣＤ１２０に印加することによって、ＣＣＤ１２０で映像信号を出力させる。ＣＣＤ駆動部１２５が印加するＣＣＤ駆動クロックに応じて、映像信号が出力されるＣＣＤ１２０の光学面像の画素領域および領域サイズが決定される。
【００３２】
以下、ＣＣＤ１２０の駆動制御について図２Ａないし図２Ｃに基づいて詳説する。図２ＡはＣＣＤ１２０の光学面を示した図である。同図に示したように、ＣＣＤ１２０の光学面は有効画素領域Ａと有効画素領域の外部に所定のサイズで備えられている予備画素領域Ｂとに分けられる。
【００３３】
従来には、ＣＣＤ駆動部１２５が有効画素領域Ａで生成された映像信号のみを出力するようＣＣＤ１２０を駆動した。この時、ＣＣＤ駆動部１２５がＣＣＤ１２０に印加するＣＣＤ駆動クロックのタイミングについては図２Ｂの通りである。図２Ｂには、ＣＣＤ駆動部１２５がＣＣＤ１２０に印加するＣＣＤ駆動クロックであって、フィールドクロック（ＦＬＤ）、垂直同期／垂直ブランキングクロック（ＶＤ／ＶＢＬＫ）、水平同期クロック（ＨＤ）、垂直伝送クロック（ＸＶ１〜ＸＶ４）のタイミングを図示し、下端にＣＣＤ出力のタイミングを示した。
【００３４】
図２Ｂに示したように、Ｂ１区間とＢ２区間ではＣＣＤ駆動部１２５が垂直伝送クロック（ＸＶ１〜ＸＶ４）をＣＣＤ１２０に印加しないので、ＣＣＤの出力はない。即ち、Ｂ１区間とＢ２区間においてＣＣＤ１２０から映像信号が出力されず、Ａ１区間とＡ２区間でのみ映像信号が出力される。これに応じて、ＣＣＤ１２０の有効画素領域Ａで生成された得象信号のみがＤＳＰ１３０に出力され、ＣＣＤ１２０の予備画素領域Ｂに生成された映像信号は出力されない。即ち、従来にはＣＣＤ１２０の予備画素領域Ｂで生成される映像信号は使用されなかった。
【００３５】
しかし、本発明では、ＣＣＤ駆動部１２５が有効画素領域Ａのみならず予備画素領域Ｂに生成された映像信号も出力されるようにＣＣＤ１２０を駆動することができる。なお、ＣＣＤ駆動部１２５がＣＣＤ１２０に印加するＣＣＤ駆動クロックのタイミング図を図２Ｃに示した。
【００３６】
同図に示した通りに、Ａ１区間とＡ２区間だけでなく、Ｂ１区間とＢ２区間においてもＣＣＤ駆動部１２５が垂直伝送クロック（ＸＶ１〜ＸＶ４）をＣＣＤ１２０に印加するため、Ｂ１およびＢ２区間においてもＣＣＤ１２０から映像信号が出力される。よって、ＣＣＤ１２０の有効画素領域Ａと予備画素領域Ｂで生成された映像信号がＤＳＰ１３０に出力される。その結果、ＣＣＤ１２０の予備画素領域Ｂで生成された映像信号も用いることができる。ＣＣＤ１２０の予備画素領域Ｂで生成された映像信号はハンドシェイク補正に用いられるが、これに関する詳説は後述する。
【００３７】
再び図１に基づいて説明すると、信号処理部１３０は、ＣＣＤ１２０で出力される映像信号に対して所定の信号処理を行う。信号処理部１３０はＣＤＳ／ＡＧＣ／ＡＤＣ１３２とＤＳＰ１３４を備える。
【００３８】
ＣＤＳ／ＡＧＣ／ＡＤＣ１３２はＣＣＤ１２０から出力される映像信号について、相関二重サンプリング回路を用いてノイズを取除き、自動利得制御回路（Ａｕｔｏ  Ｇａｉｎ  Ｃｏｎｔｒｏｌｌｉｎｇ  Ｃｉｒｃｕｉｔ）を用いて信号のレベルが一定に保たれるよう利得を調整する。また、ＡＤＣを用いてデジタル映像信号に変換する。ＤＳＰ（デジタル信号プロセッサ）１３４はＣＤＳ／ＡＧＣ／ＡＤＣ１３２で出力される映像信号に対してＡＷＢ（自動白バランス）のような信号処理を行う。
【００３９】
メモリ制御部１５０はＤＳＰ１３４で出力される映像信号をメモリ１５５にフィールド単位で格納する。ＣＣＤ１２０で出力された映像信号が有効画素領域Ａと予備画画素領域Ｂに生成された映像信信号であるため、メモリ１５５に格納される映像はＣＣＤ１２０の全体画素領域（有効画素領域Ａ＋予備画素領域Ｂ）で撮像された映像であり、これを図３Ａに示した。同図は、ＣＣＤ１２０の全体画素領域で生成された映像信号がメモリ１５５に格納された状態について示されている。
【００４０】
メモリ制御部１５０はメモリ１５５に格納された映像信号をフィールド単位に読み込んでハンドシェイク補正部１４０に印加する。
【００４１】
ハンドシェイク補正部１４０はメモリ制御部１５０から印加された映像信号を用いてハンドシェイクを検出する。詳細に、ハンドシェイク補正部１４０は印加された映像信号に対してフィールド別に比較し、ハンドシェイク量とハンドシェイク方向を検出する。そして、ハンドシェイク補正部１４０は検出されたハンドシェイク量とハンドシェイク方向に基づいて、「ハンドシェイク補正された領域」を算出する。「ハンドシェイク補正された領域」のサイズは有効画素領域Ａのサイズと同一であり、図３Ｂにはハンドシェイク補正部１４０により算出された「ハンドシェイク補正された領域」（斜線で示した領域）の一例を参照符号Ｃとして示した。
【００４２】
ハンドシェイク補正部１４０は算出された「ハンドシェイク補正された領域」に対する情報をメモリ制御部１５０に印加する。
【００４３】
メモリ制御部１５０はハンドシェイク補正部１４０から印加された「ハンドシェイク補正された領域」情報を用いて、メモリ１５５に格納された映像信号のうち「ハンドシェイク補正された領域」に当る映像信号を読み込んでディスプレー部１６０に印加する。
【００４４】
即ち、メモリ制御部１５０は、図３Ｂに示した領域のうち「ハンドシェイク補正された領域」（斜線領域）Ｃに当る映像信号をメモリ１５５から読み出してディスプレー部１６０に印加する。「ハンドシェイク補正された領域」Ｃのサイズは有効画素領域Ａのサイズと同一であるため、メモリ制御部１５０が読み取る映像のサイズも有効画素領域Ａのサイズと同じである。
【００４５】
ディスプレー部１６０はメモリ制御部１５０が読み取った映像信号を再生する。ディスプレー部１６０はビデオエンコーダー１６２とＬＣＤ１６４を備える。
【００４６】
ビデオエンコーダー１６２はメモリ制御部１５０で出力される映像信号をＬＣＤ１６４で再生可能な形態に変換する。ＬＣＤ１６４はビデオエンコーダー１６２で変換処理された映像信号が表示されるディスプレー装置である。
【００４７】
以下、図１で示した撮影装置がＣＣＤ１２０の駆動制御とメモリ１５５の読み取り制御を用いてハンドシェイクを補正する過程について図４を参照しながら詳説する。同図は、本発明の一実施の形態に係る、撮像素子の駆動制御とメモリ読み取り制御を用いたハンドシェイク補正方法を説明するために提供される。
【００４８】
まず、ＣＣＤ１２０は光学面に結像された被写体の光学像を撮像し、それに対応する映像信号を生成する（Ｓ３１０）。
【００４９】
すると、ＣＣＤ駆動部１２５はＣＣＤ１２０の全体画素領域に生成された映像信号が信号処理部１３０に出力されるようＣＣＤ１２０を駆動する（Ｓ３２０）。詳細に、ＣＣＤ駆動部１２５は、図２Ｃに示したように、ＣＣＤ駆動クロックをＣＣＤ１２０に印加することにより、有効画素領域Ａと予備画素領域Ｂに生成された映像信号がＣＣＤ１２０で出力されるように行う。信号処理部１３０は、ＣＣＤ１２０で出力される映像信号に対して所定の信号処理を行う（Ｓ３３０）。
【００５０】
メモリ制御部１５０は信号処理部１３０で出力される映像信号をメモリ１５５にフィールド単位で格納する（Ｓ３４０）。ＣＣＤ１２０で出力された映像信号が全体画素領域(有効画素領域Ａ＋予備画素領域Ｂ)に生成された映像信号であるので、メモリ１５５に格納されている映像もＣＣＤ１２０の全体画素領域で撮像された映像である。ＣＣＤ１２０の全体画素領域で撮像された映像がメモリ１５５に格納された状態は図３Ａの通りである。
【００５１】
ハンドシェイク補正部１４０は、メモリ１５５に格納された映像信号を用いてハンドシェイクを検出する（Ｓ３５０）。詳細には、ハンドシェイク補正部１４０はメモリ制御部１５０からめモリ１５５に格納された映像信号をフィールド単位で印加され、印加された映像信号に対してフィールド別に比較してハンドシェイク量とハンドシェイク方向とを検出する。
【００５２】
ハンドシェイク補正部１４０は、検出されたハンドシェイクに基づいて「ハンドシェイク補正された領域」を算出する（Ｓ３６０）。そして、ハンドシェイク補正部１４０は算出された「ハンドシェイク補正された領域」に対する情報をメモリ制御部１５０に印加する。
【００５３】
すると、メモリ制御部１５０は、ハンドシェイク補正部１４０で印加された「ハンドシェイク補正された領域」に対する情報を用いて、メモリ１５５に格納された映像信号のうち「ハンドシェイク補正された領域」に当る映像信号を読み取ってディスプレー部１６０に印加する（Ｓ３７０）。即ち、メモリ制御部１５０は、図３Ｂに示した領域のうち「ハンドシェイク補正された領域」（斜線画素領域）Ｃに当る映像信号をメモリ１５５から読み出してディスプレー部１６０に印加する。
【００５４】
ディスプレー部１６０は、メモリ制御部１５０が読み取った映像信号を再生する（Ｓ３８０）。それだけでなく、メモリ制御部１５０が読み取った映像信号は所定のフォーマットで圧縮され記録媒体（図示せず）に記録されることもできる。
【００５５】
今までＣＣＤ１２０の駆動とメモリ１５５の読み取りを制御することによってハンドシェイクを補正することについて詳説した。本実施の形態で、ＣＣＤ駆動部１２５はＣＣＤ１２０の全体画素領域に生成された映像信号が出力されるようにＣＣＤ１２０を駆動するものであると説明したが、必ずしもこれに限らない。即ち、ＣＣＤ駆動部１２５はＣＣＤ１２０の有効画素領域Ａより大きく、且つ全体画素領域より小さい画素領域（有効画素領域Ａ＋予備画素領域Ｂの一部）に生成された映像信号のみが出力されるようにＣＣＤ１２０を駆動し、この時ＣＣＤ１２０で出力される映像信号を用いてハンドシェイクを検出し補正を行うこともできる。
【００５６】
さらに、本発明は、デジタルカメラ、デジタルカムコーダー、ＣＣＴＶのような監視用カメラ、カメラ付きオモバイル電話などに適用でき、その他の撮影装置にも適用できる。
【００５７】
以上、図面に基づいて本発明の好適な実施形態を図示および説明してきたが本発明の保護範囲は、前述の実施形態に限定するものではなく、特許請求の範囲に記載された発明とその均等物にまで及ぶものである。
【図面の簡単な説明】
【００５８】
【図１】本発明の一実施の形態に係る撮像素子駆動制御とメモリ読み取り制御を介してハンドシェイクを補正する撮影装置のブロック図である。
【図２Ａ】ＣＣＤの光学面を示した図である。
【図２Ｂ】ＣＣＤの有効画素領域に生成された映像信号を出力するためのＣＣＤ駆動パルスのタイミング図である。
【図２Ｃ】ＣＣＤ全体画素領域（有効画素領域と予備画素領域）に生成された映像信号を出力するためのＣＣＤ駆動パルスのタイミング図である。
【図３Ａ】ＣＣＤの全体画素領域で生成された映像信号がメモリに格納された状態を示した図である。
【図３Ｂ】メモリで読み取る「ハンドシェイク補正された領域」の一例を示した図である。
【図４】本発明の一実施の形態に係る、撮像素子駆動制御とメモリ読み取り制御を用いたハンドシェイク補正方法を説明するためのフローチャートである。
【符号の説明】
【００５９】
１１０  レンズ部
１２０  ＣＣＤ
１２５  ＣＣＤ駆動部
１３０  信号処理部
１４０  ハンドシェイク補正部
１５０  メモリ制御部
１５５  メモリ
１６０  ディスプレー部
【図１】
2006033850.tif 000003
【図２Ａ】
2006033850.tif 000004
【図２Ｂ】
2006033850.tif 000005
【図２Ｃ】
2006033850.tif 000006
【図３Ａ】
2006033850.tif 000007
【図３Ｂ】
2006033850.tif 000008
【図４】
2006033850.tif 000009